(57)【要約】【課題】集熱効率を向上できる光熱変換エネルギー回収パネルを提供する。【解決手段】光が入射する入射面１０ａを前面に有して入射面１０ａから入射した光を側端面１０ｂの方向に導く集光板１０と、高熱伝導部材により形成して集光板１０の側端部に接して配されるとともに熱媒が流通する熱媒通路２３を有した熱収集部２０とを備え、集光板１０により熱収集部２０に導かれた光の光エネルギーを熱エネルギーへと変換して熱媒により回収する光熱変換エネルギー回収パネル１において、熱収集部２０の内部に複数の熱媒流路２３を並列に設けた。【選択図】図３
2014153011.tif 000002
【特許請求の範囲】
【請求項１】
光が入射する入射面を前面に有して前記入射面から入射した光を側端面の方向に導く集光板と、高熱伝導部材により形成して前記集光板の側端部に接して配されるとともに熱媒が流通する熱媒通路を有した熱収集部とを備え、前記集光板により前記熱収集部に導かれた光の光エネルギーを熱エネルギーへと変換して熱媒により回収する光熱変換エネルギー回収パネルにおいて、前記熱収集部の内部に複数の前記熱媒流路を並列に設けたことを特徴とする光熱変換エネルギー回収パネル。
【請求項２】
前記熱媒流路の内壁面に凹凸形状を形成したことを特徴とする請求項１に記載の光熱変換エネルギー回収パネル。
【請求項３】
光が入射する入射面を前面に有して前記入射面から入射した光を側端面の方向に導く集光板と、高熱伝導部材により形成して前記集光板の側端部に接して配されるとともに熱媒が流通する熱媒通路を有した熱収集部とを備え、前記集光板により前記熱収集部に導かれた光の光エネルギーを熱エネルギーへと変換して熱媒により回収する光熱変換エネルギー回収パネルにおいて、前記熱媒流路の内壁面に凹凸形状を形成したことを特徴とする光熱変換エネルギー回収パネル。
【請求項４】
前記熱収集部は前記入射面に垂直な方向の長さが平行な方向の長さよりも長いことを特徴とする請求項１〜請求項３のいずれかに記載の光熱変換エネルギー回収パネル。
【請求項５】
前記集光板の端部に前記熱収集部を埋設したことを特徴とする請求項１〜請求項４のいずれかに記載の光熱変換エネルギー回収パネル。
【発明の詳細な説明】
【技術分野】
【０００１】
本発明は、光エネルギーを熱エネルギーへと変換して熱媒により回収する光熱変換エネルギー回収パネルに関する。
【背景技術】
【０００２】
従来の光熱変換エネルギー回収パネルは特許文献１に開示される。この光熱変換エネルギー回収パネルは集光板及び熱収集部を備えている。集光板は上面に太陽光の入射面を有し、蛍光体を含有している。蛍光体は例えば、太陽光を入射させた場合は太陽光に含まれる黄赤光を反射し、紫外光〜青紫光を黄赤光に波長変換して放射する。熱収集部は集光板の側端面に接して配される金属製の円管により構成され、内部に水等の熱媒が流通する断面円形の熱媒流路が形成される。
【０００３】
入射面から集光板に入射した光は蛍光体により吸収されて特定の波長に変換された光が放射状に放射し、一部の光が集光板の上下面で全反射して側端面の方向に導光する。集光板を導光した光の光エネルギーは熱収集部で熱エネルギーに変換され、熱媒流路を流通する熱媒により集熱して回収される。
【先行技術文献】
【特許文献】
【０００４】
【特許文献１】特開昭６３−６３４４号公報（第２頁−第４頁、第１図）
【発明の概要】
【発明が解決しようとする課題】
【０００５】
しかしながら、上記従来の光熱変換エネルギー回収パネルによると、円管により形成される熱収集部は外周面が集光部の側端面に接して光エネルギーが伝えられる。このため、熱収集部の外周面によって所定の光熱変換面積を形成した際に熱媒流路の流路断面積が大きくなる。これにより、熱収集部の流路抵抗が小さくなるため熱収集部と熱媒との熱伝達性が低く、光熱変換エネルギー回収パネルの集熱効率が低い問題があった。
【０００６】
本発明は、集熱効率を向上できる光熱変換エネルギー回収パネルを提供することを目的とする。
【課題を解決するための手段】
【０００７】
上記目的を達成するために本発明は、光が入射する入射面を前面に有して前記入射面から入射した光を側端面の方向に導く集光板と、高熱伝導部材により形成して前記集光板の側端部に接して配されるとともに熱媒が流通する熱媒通路を有した熱収集部とを備え、前記集光板により前記熱収集部に導かれた光の光エネルギーを熱エネルギーへと変換して熱媒により回収する光熱変換エネルギー回収パネルにおいて、前記熱収集部の内部に複数の前記熱媒流路を並列に設けたことを特徴としている。
【０００８】
また本発明は、上記構成の光熱変換エネルギー回収パネルにおいて、前記熱媒流路の内壁面に凹凸形状を形成したことを特徴としている。
【０００９】
また本発明は、上記構成の光熱変換エネルギー回収パネルにおいて、複数の前記熱媒流路を前記集光板の厚み方向に並設したことを特徴としている。
【００１０】
また本発明は、光が入射する入射面を前面に有して前記入射面から入射した光を側端面の方向に導く集光板と、高熱伝導部材により形成して前記集光板の側端部に接して配されるとともに熱媒が流通する熱媒通路を有した熱収集部とを備え、前記集光板により前記熱収集部に導かれた光の光エネルギーを熱エネルギーへと変換して熱媒により回収する光熱変換エネルギー回収パネルにおいて、前記熱媒流路の内壁面に凹凸形状を形成したことを特徴としている。
【００１１】
また本発明は、上記構成の光熱変換エネルギー回収パネルにおいて、前記熱収集部の前記入射面に垂直な方向の長さが平行な方向の長さよりも長いことを特徴としている。
【００１２】
また本発明は、上記構成の光熱変換エネルギー回収パネルにおいて、前記集光板の端部に前記熱収集部を埋設したことを特徴としている。
【００１３】
また本発明は、上記構成の光熱変換エネルギー回収パネルにおいて、前記集光板と前記熱収集部との境界に光吸収層を形成したことを特徴としている。
【００１４】
また本発明は、上記構成の光熱変換エネルギー回収パネルにおいて、前記熱収集部が配される端部を断熱材により覆うことを特徴としている。
【発明の効果】
【００１５】
本発明によると、熱収集部の内部に複数の熱媒流路を並列に設けたので、熱媒流路の流路抵抗を大きくして熱収集部と熱媒との熱伝達性を高くすることができる。従って、光熱変換エネルギー回収パネルの集熱効率を向上することができる。
【００１６】
また本発明によると、熱媒流路の内壁面に凹凸形状を形成したので、熱収集部と熱媒との熱伝達性を高くすることができる。従って、光熱変換エネルギー回収パネルの集熱効率を向上することができる。
【図面の簡単な説明】
【００１７】
【図１】本発明の第１実施形態の光熱変換エネルギー回収パネルを示す平面図
【図２】図１のＡ−Ａ線で切断した斜視図
【図３】図１のＡ−Ａ断面図
【図４】本発明の第２実施形態の光熱変換エネルギー回収パネルの要部を示す正面断面図
【図５】本発明の第３実施形態の光熱変換エネルギー回収パネルの要部を示す正面断面図
【図６】本発明の第４実施形態の光熱変換エネルギー回収パネルの要部を示す正面断面図
【図７】本発明の第５実施形態の光熱変換エネルギー回収パネルの要部を示す正面断面図
【図８】本発明の第６実施形態の光熱変換エネルギー回収パネルの要部を示す正面断面図
【図９】本発明の第７実施形態の光熱変換エネルギー回収パネルの要部を示す正面断面図
【図１０】本発明の第８実施形態の光熱変換エネルギー回収パネルの要部を示す正面断面図
【図１１】本発明の第９実施形態の光熱変換エネルギー回収パネルの要部を示す正面断面図
【図１２】本発明の第１０実施形態の光熱変換エネルギー回収パネルの要部を示す正面断面図
【図１３】本発明の第１１実施形態の光熱変換エネルギー回収パネルの要部を示す正面断面図
【図１４】本発明の第１２施形態の光熱変換エネルギー回収パネルの要部を示す正面断面図
【図１５】本発明の第１３実施形態の光熱変換エネルギー回収パネルの要部を示す正面断面図
【図１６】本発明の第１４実施形態の光熱変換エネルギー回収パネルの要部を示す正面断面図
【図１７】本発明の第１５実施形態の光熱変換エネルギー回収パネルの要部を示す正面断面図
【図１８】本発明の第１６実施形態の光熱変換エネルギー回収パネルの要部を示す正面断面図
【図１９】本発明の第１７実施形態の光熱変換エネルギー回収パネルの要部を示す正面断面図
【図２０】本発明の第１８実施形態の光熱変換エネルギー回収パネルの要部を示す正面断面図
【図２１】本発明の第１９実施形態の光熱変換エネルギー回収パネルの要部を示す正面断面図
【図２２】本発明の第２０実施形態の光熱変換エネルギー回収パネルの要部を示す正面断面図
【図２３】本発明の第２１実施形態の光熱変換エネルギー回収パネルの要部を示す正面断面図
【図２４】本発明の第２２実施形態の光熱変換エネルギー回収パネルの要部を示す正面断面図
【図２５】本発明の第２３実施形態の光熱変換エネルギー回収パネルの要部を示す正面断面図
【図２６】本発明の第２４実施形態の光熱変換エネルギー回収パネルの要部を示す正面断面図
【図２７】本発明の第２５実施形態の光熱変換エネルギー回収パネルの要部を示す正面断面図
【図２８】本発明の第２６実施形態の光熱変換エネルギー回収パネルの要部を示す正面断面図
【図２９】本発明の第２７実施形態の光熱変換エネルギー回収パネルの要部を示す正面断面図
【図３０】本発明の第２８実施形態の光熱変換エネルギー回収パネルの要部を示す正面断面図
【図３１】本発明の第２９実施形態の光熱変換エネルギー回収パネルの要部を示す正面断面図
【図３２】本発明の第３０実施形態の光熱変換エネルギー回収パネルの要部を示す正面断面図
【図３３】本発明の第３１実施形態の光熱変換エネルギー回収パネルの要部を示す正面断面図
【図３４】本発明の第３２実施形態の光熱変換エネルギー回収パネルの要部を示す正面断面図
【図３５】本発明の第３３実施形態の光熱変換エネルギー回収パネルの要部を示す正面断面図
【図３６】本発明の第３４実施形態の光熱変換エネルギー回収パネルの要部を示す正面断面図
【図３７】本発明の第３５実施形態の光熱変換エネルギー回収パネルの要部を示す正面断面図
【図３８】本発明の第３６実施形態の光熱変換エネルギー回収パネルの要部を示す正面断面図
【図３９】本発明の第３７実施形態の光熱変換エネルギー回収パネルの要部を示す正面断面図
【図４０】本発明の第３８実施形態の光熱変換エネルギー回収パネルの要部を示す正面断面図
【図４１】本発明の第３９実施形態の光熱変換エネルギー回収パネルの要部を示す斜視図
【図４２】本発明の第３９実施形態の光熱変換エネルギー回収パネルの要部を示す正面断面図
【図４３】本発明の第４０実施形態の光熱変換エネルギー回収パネルの要部を示す正面断面図
【図４４】本発明の第４１実施形態の光熱変換エネルギー回収パネルの要部を示す正面断面図
【図４５】本発明の第４２実施形態の光熱変換エネルギー回収パネルを示す平面図
【図４６】本発明の第４２実施形態の光熱変換エネルギー回収パネルを連結した状態を示す平面図
【図４７】本発明の第４３実施形態の光熱変換エネルギー回収パネルを示す平面図
【発明を実施するための形態】
【００１８】
＜第１実施形態＞
以下に図面を参照して本発明の実施形態を説明する。図１は第１実施形態の光熱変換エネルギー回収パネル１の平面図を示している。図２は図１のＡ−Ａ線で切断した光熱変換エネルギー回収パネル１の要部の斜視図を示している。図３は図１のＡ−Ａ断面図であり、光熱変換エネルギー回収パネル１の要部の正面断面図を示している。
【００１９】
光熱変換エネルギー回収パネル１は平面視略矩形の集光板１０と集光板１０の周囲に配される熱収集部２０とを備えている。光熱変換エネルギー回収パネル１は家屋の屋根、バルコニー、壁面等に設置される。また、光熱変換エネルギー回収パネル１はビルやマンションの屋根、バルコニー、壁面にも設置することができる。光熱変換エネルギー回収パネル１を壁面等に用いる際は垂直に設置される。
【００２０】
集光板１０は前面に太陽光の入射面１０ａを有した平板状の透光性材料により形成される。集光板１０を形成する透光性材料として、珪酸ガラスや有機ガラス（ポリメタクリル酸メチル樹脂（ＰＭＭＡ）、ポリカーボネート（ＰＣ）等）等が用いられる。
【００２１】
集光板１０の内部には光に励起されて発光する蛍光物質や燐光物質等の光励起姓発光物質２１が含有される。光励起姓発光物質２１は所定の波長の光を吸収して特定の波長の光へと波長変換して放射する。
【００２２】
透光性材料の基材中に光励起姓発光物質２１の粉末を添加し、押出成形法、射出成形法、圧縮成形法等によって集光板１０が成形される。集光板１０の成形方法は特に制限がなく、材料や形状に応じて選択される。
【００２３】
熱収集部２０は金属等の高熱伝導部材により形成され、内部には熱媒が流通する複数の熱媒流路２３が並列に設けられる。複数の熱媒流路２３は集光板１０の厚み方向に並設される。本実施形態では熱収集部２０の断面形状が正方形に形成され、熱媒流路２３の断面形状が熱収集部２０と相似形の正方形に形成される。熱収集部２０として熱伝導性が高い銅やアルミニウム等の金属が用いられ、加工が容易なアルミニウムがより好適に用いられる。熱収集部２０の成形方法は特に制限がなく、押出成形法等の成形方法が材料や形状に応じて選択される。
【００２４】
熱収集部２０は環状に形成され、集光板１０の外周を形成する側端面１０ｂに接してエポキシ系やウレタン系等の接着剤（不図示）により接着される。この時、熱収集部２０は両端に熱媒の流入口２０ａ及び流出口２０ｂを有し、集光板１０の対角位置で分岐及び合流する第１、第２分岐路２１、２２を有している。
【００２５】
このため、第１分岐路２１及び第２分岐路２２をそれぞれ形成する成形品を集光板１０のコーナー１０ｄに沿って折曲し、一方の成形品の両端を他方に接合して熱収集部２０が環状に形成される。両者の接合は溶接やろう付け等が好適であるが、これに限らず両者の材質に応じて選択可能である。この時、集光板１０の各コーナー１０ｄが曲面に形成され、折曲される熱収集部２０と集光板１０とを容易に密着させることができる。
【００２６】
尚、熱収集部２０を形成する一の成形品を集光板１０の外周の側端面１０ｂに沿って環状に折曲し、流入口２０ａ及び流出口２０ｂを隣接して配置してもよい。また、集光板１０は平面視矩形に限らず他の多角形や円形に形成してもよく、熱収集部２０が集光板１０の外周に沿って折曲される。
【００２７】
熱媒流路２３を流通する熱媒は特に制限されず、光熱変換エネルギー回収パネル１により回収される熱の用途、設置場所、設置地域等に応じて選択される。例えば、光熱変換エネルギー回収パネル１が温暖地域に設置される場合は熱媒として水を用いてもよい。また、光熱変換エネルギー回収パネル１が寒冷地域に設置される場合はエチレングリコール等の不凍液を用いてもよい。また、光熱変換エネルギー回収パネル１により回収した熱を基にヒートポンプ等を介して更に高温を得る場合には、潜熱による熱回収が可能なフルオロカーボン系やＣＯ2等の熱媒を用いることができる。
【００２８】
上記構成の光熱変換エネルギー回収パネル１において、矢印Ｄ１に示すように太陽光が入射面１０ａから集光板１０に入射する。集光板１０に入射した光は光励起姓発光物質２１によって吸収され、特定の波長の光を放射状に放射する。光励起姓発光物質２１から放射状に進行する一部の光は矢印Ｄ２に示すように集光板１０の入射面１０ａ及び底面１０ｃで全反射して側端面１０ｂに向かって導光する。
【００２９】
集光板１０を導光して側端面１０ｂに到達した光の光エネルギーは熱収集部２０において熱エネルギーへと変換される。熱収集部２０の熱媒流路２３には流入口２０ａから矢印Ｂ１に示すように熱媒が流入して流出口２０ｂから矢印Ｂ２に示すように熱媒が流出する。熱収集部２０により光エネルギーから変換された熱エネルギーは熱媒流路２３を流通する熱媒により集熱して回収される。
【００３０】
この時、熱収集部２０は集光板１０の側端面１０ｂに接して所定の光熱変換面積が確保され、外形が大きく形成される。熱収集部２０の内部には複数の熱媒流路２３が並列に設けられるため、熱収集部２０の大きさに比してそれぞれの熱媒流路２３の流路断面積を小さくすることができる。このため、熱媒流路２３の流路抵抗が大きくなり、熱収集部２０と熱媒との熱伝達性を高くすることができる。
【００３１】
本実施形態によると、熱収集部２０の内部に複数の熱媒流路２３を並列に設けたので、熱媒流路２３の流路抵抗を大きくして熱収集部２０と熱媒との熱伝達性を高くすることができる。従って、光熱変換エネルギー回収パネル１の集熱効率を向上することができる。
【００３２】
また、複数の熱媒流路２３を集光板１０の入射面１０ａに平行な方向に並設してもよいが、入射面１０ａに垂直な集光板１０の厚み方向に並設するとより望ましい。これにより、それぞれの熱媒流路２３が集光板１０の側端面１０ｂに接近して配置され、集光板１０から熱収集部２０に伝えられた熱が熱媒流路２３内の熱媒に迅速に伝えられる。従って、外部への放熱を低減して光熱変換エネルギー回収パネル１の集熱効率をより向上することができる。
【００３３】
＜第２実施形態＞
次に、図４は第２実施形態の光熱変換エネルギー回収パネル１の要部の正面断面図であり、前述の図３と同じ断面を示している。説明の便宜上、前述の図１〜図３に示す第１実施形態と同様の部分には同一の符号を付している。本実施形態は第１実施形態の光励起姓発光物質２１（図３参照）が省かれ、集光板１０の底面１０ｃに導光構造１２が形成される。その他の部分は第１実施形態と同様である。
【００３４】
導光構造１２は光を構造的に内部反射させ、例えば、一方向に延びて該方向に垂直で入射面１０ａに平行な方向に複数並設されるプリズム形状等によって形成される。押出成形等によって集光板１０を成形する際に導光構造１２を同時に形成することができる。
【００３５】
矢印Ｄ１に示すように入射面１０ａから集光板１０に入射した太陽光は導光構造１２で反射する。導光構造１２で反射した光は矢印Ｄ２に示すように集光板１０の入射面１０ａで全反射するとともに底面の導光構造１２で反射して側端面１０ｂに向かって導光する。これにより、第１実施形態と同様に側端面１０ｂに到達した光の熱エネルギーが熱収集部２０に伝えられ、熱媒により集熱して回収される。従って、第１実施形態と同様の効果を得ることができる。尚、上記の導光構造１２は一例であり、入射した光を構造的に内部反射させる構造であれば特に制限はない。
【００３６】
＜第３実施形態＞
次に、図５は第３実施形態の光熱変換エネルギー回収パネル１の要部の正面断面図であり、前述の図３と同じ断面を示している。説明の便宜上、前述の図１〜図３に示す第１実施形態と同様の部分には同一の符号を付している。本実施形態は熱収集部２０の構造が第１実施形態と異なっている。その他の部分は第１実施形態と同様である。
【００３７】
熱収集部２０は断面形状を円形に形成され、内部に複数の熱媒流路２３が並列に設けられる。複数の熱媒流路２３は集光板１０の厚み方向に並設される。熱媒流路２３の断面形状は熱収集部２０と相似形の円形に形成される。これにより、第１実施形態と同様に、熱媒流路２３の流路抵抗を大きくして熱収集部２０と熱媒との熱伝達性を高くすることができる。
【００３８】
＜第４実施形態＞
次に、図６は第４実施形態の光熱変換エネルギー回収パネル１の要部の正面断面図であり、前述の図３と同じ断面を示している。説明の便宜上、前述の図１〜図３に示す第１実施形態と同様の部分には同一の符号を付している。本実施形態は熱収集部２０の構造が第１実施形態と異なっている。その他の部分は第１実施形態と同様である。
【００３９】
熱収集部２０は断面形状を三角形に形成され、内部に複数の熱媒流路２３が並列に設けられる。複数の熱媒流路２３は集光板１０の厚み方向に並設される。熱媒流路２３の断面形状は熱収集部２０と相似形の三角形に形成される。これにより、第１実施形態と同様に、熱媒流路２３の流路抵抗を大きくして熱収集部２０と熱媒との熱伝達性を高くすることができる。
【００４０】
＜第５実施形態＞
次に、図７は第５実施形態の光熱変換エネルギー回収パネル１の要部の正面断面図であり、前述の図３と同じ断面を示している。説明の便宜上、前述の図１〜図３に示す第１実施形態と同様の部分には同一の符号を付している。本実施形態は熱収集部２０の構造が第１実施形態と異なっている。その他の部分は第１実施形態と同様である。
【００４１】
熱収集部２０は断面形状を台形に形成され、内部に複数の熱媒流路２３が並列に設けられる。複数の熱媒流路２３は集光板１０の厚み方向に並設される。熱媒流路２３の断面形状は熱収集部２０と相似形の台形に形成される。これにより、第１実施形態と同様に、熱媒流路２３の流路抵抗を大きくして熱収集部２０と熱媒との熱伝達性を高くすることができる。
【００４２】
＜第６実施形態＞
次に、図８は第６実施形態の光熱変換エネルギー回収パネル１の要部の正面断面図であり、前述の図３と同じ断面を示している。説明の便宜上、前述の図１〜図３に示す第１実施形態と同様の部分には同一の符号を付している。本実施形態は熱収集部２０の構造が第１実施形態と異なっている。その他の部分は第１実施形態と同様である。
【００４３】
熱収集部２０は断面形状を六角形に形成され、内部に複数の熱媒流路２３が並列に設けられる。複数の熱媒流路２３は集光板１０の厚み方向に並設される。熱媒流路２３の断面形状は熱収集部２０と相似形の六角形に形成される。これにより、第１実施形態と同様に、熱媒流路２３の流路抵抗を大きくして熱収集部２０と熱媒との熱伝達性を高くすることができる。
【００４４】
＜第７実施形態＞
次に、図９は第７実施形態の光熱変換エネルギー回収パネル１の要部の正面断面図であり、前述の図３と同じ断面を示している。説明の便宜上、前述の図１〜図３に示す第１実施形態と同様の部分には同一の符号を付している。本実施形態は熱収集部２０の構造が第１実施形態と異なっている。その他の部分は第１実施形態と同様である。
【００４５】
熱収集部２０は断面形状を正方形に形成され、内部に複数の熱媒流路２３が並列に設けられる。複数の熱媒流路２３は集光板１０の厚み方向に並設される。熱媒流路２３の断面形状は熱収集部２０と非相似形の長方形に形成される。これにより、第１実施形態と同様に、熱媒流路２３の流路抵抗を大きくして熱収集部２０と熱媒との熱伝達性を高くすることができる。
【００４６】
＜第８実施形態＞
次に、図１０は第８実施形態の光熱変換エネルギー回収パネル１の要部の正面断面図であり、前述の図３と同じ断面を示している。説明の便宜上、前述の図１〜図３に示す第１実施形態と同様の部分には同一の符号を付している。本実施形態は熱収集部２０の構造が第１実施形態と異なっている。その他の部分は第１実施形態と同様である。
【００４７】
熱収集部２０は断面形状を正方形に形成され、内部に複数の熱媒流路２３が並列に設けられる。複数の熱媒流路２３は集光板１０の厚み方向に並設される。熱媒流路２３の断面形状は熱収集部２０と非相似形の楕円形に形成される。これにより、第１実施形態と同様に、熱媒流路２３の流路抵抗を大きくして熱収集部２０と熱媒との熱伝達性を高くすることができる。
【００４８】
＜第９実施形態＞
次に、図１１は第９実施形態の光熱変換エネルギー回収パネル１の要部の正面断面図であり、前述の図３と同じ断面を示している。説明の便宜上、前述の図１〜図３に示す第１実施形態と同様の部分には同一の符号を付している。本実施形態は熱収集部２０の構造が第１実施形態と異なっている。その他の部分は第１実施形態と同様である。
【００４９】
熱収集部２０は断面形状をコーナーが曲面の略正方形に形成され、内部に複数の熱媒流路２３が並列に設けられる。複数の熱媒流路２３は集光板１０の厚み方向に並設される。熱媒流路２３の断面形状は熱収集部２０と非相似形の略長方形に形成される。これにより、第１実施形態と同様に、熱媒流路２３の流路抵抗を大きくして熱収集部２０と熱媒との熱伝達性を高くすることができる。
【００５０】
＜第１０実施形態＞
次に、図１２は第１０実施形態の光熱変換エネルギー回収パネル１の要部の正面断面図であり、前述の図３と同じ断面を示している。説明の便宜上、前述の図１〜図３に示す第１実施形態と同様の部分には同一の符号を付している。本実施形態は熱収集部２０の構造が第１実施形態と異なっている。その他の部分は第１実施形態と同様である。
【００５１】
熱収集部２０は断面形状を円形に形成され、内部に複数の熱媒流路２３が並列に設けられる。複数の熱媒流路２３は集光板１０の厚み方向に並設される。熱媒流路２３の断面形状は熱収集部２０と非相似形の楕円形に形成される。これにより、第１実施形態と同様に、熱媒流路２３の流路抵抗を大きくして熱収集部２０と熱媒との熱伝達性を高くすることができる。
【００５２】
＜第１１実施形態＞
次に、図１３は第１１実施形態の光熱変換エネルギー回収パネル１の要部の正面断面図であり、前述の図３と同じ断面を示している。説明の便宜上、前述の図１〜図３に示す第１実施形態と同様の部分には同一の符号を付している。本実施形態は熱収集部２０の構造が第１実施形態と異なっている。その他の部分は第１実施形態と同様である。
【００５３】
熱収集部２０は断面形状を円形に形成され、内部に複数の熱媒流路２３が並列に設けられる。複数の熱媒流路２３は集光板１０の厚み方向に並設される。熱媒流路２３の断面形状は熱収集部２０と非相似形の半円形に形成される。これにより、第１実施形態と同様に、熱媒流路２３の流路抵抗を大きくして熱収集部２０と熱媒との熱伝達性を高くすることができる。
【００５４】
＜第１２実施形態＞
次に、図１４は第１２実施形態の光熱変換エネルギー回収パネル１の要部の正面断面図であり、前述の図３と同じ断面を示している。説明の便宜上、前述の図１〜図３に示す第１実施形態と同様の部分には同一の符号を付している。本実施形態は熱収集部２０の構造が第１実施形態と異なっている。その他の部分は第１実施形態と同様である。
【００５５】
熱収集部２０は断面形状を二等辺三角形に形成され、内部に複数の熱媒流路２３が並列に設けられる。複数の熱媒流路２３は集光板１０の厚み方向に並設される。熱媒流路２３の断面形状は熱収集部２０と非相似形の直角三角形に形成される。これにより、第１実施形態と同様に、熱媒流路２３の流路抵抗を大きくして熱収集部２０と熱媒との熱伝達性を高くすることができる。
【００５６】
＜第１３実施形態＞
次に、図１５は第１３実施形態の光熱変換エネルギー回収パネル１の要部の正面断面図であり、前述の図３と同じ断面を示している。説明の便宜上、前述の図１〜図３に示す第１実施形態と同様の部分には同一の符号を付している。本実施形態は熱収集部２０の構造が第１実施形態と異なっている。その他の部分は第１実施形態と同様である。
【００５７】
熱収集部２０は断面形状を等脚台形に形成され、内部に複数の熱媒流路２３が並列に設けられる。複数の熱媒流路２３は集光板１０の厚み方向に並設される。熱媒流路２３の断面形状は熱収集部２０と非相似形の不等脚台形に形成される。これにより、第１実施形態と同様に、熱媒流路２３の流路抵抗を大きくして熱収集部２０と熱媒との熱伝達性を高くすることができる。
【００５８】
＜第１４実施形態＞
次に、図１６は第１４実施形態の光熱変換エネルギー回収パネル１の要部の正面断面図であり、前述の図３と同じ断面を示している。説明の便宜上、前述の図１〜図３に示す第１実施形態と同様の部分には同一の符号を付している。本実施形態は熱収集部２０の構造が第１実施形態と異なっている。その他の部分は第１実施形態と同様である。
【００５９】
熱収集部２０は断面形状を正方形に形成され、内部に一の熱媒流路２３が設けられる。熱媒流路２３の断面形状は正方形の対向する二辺から突起部２３ａが突出し、熱収集部２０と非相似形に形成される。突起部２３ａにより、熱媒流路２３の内壁面に凹凸形状が形成される。
【００６０】
本実施形態によると、突起部２３ａによって熱媒流路２３の内壁面に凹凸形状を形成したので、熱収集部２０と熱媒との接触面積が増加して熱伝達性を高くすることができる。従って、光熱変換エネルギー回収パネル１の集熱効率を向上することができる。
【００６１】
＜第１５実施形態＞
次に、図１７は第１５実施形態の光熱変換エネルギー回収パネル１の要部の正面断面図であり、前述の図３と同じ断面を示している。説明の便宜上、前述の図１６に示す第１４実施形態と同様の部分には同一の符号を付している。本実施形態は熱収集部２０の構造が第１４実施形態と異なっている。その他の部分は第１４実施形態と同様である。
【００６２】
熱収集部２０は断面形状を正方形に形成され、内部に一の熱媒流路２３が設けられる。熱媒流路２３の断面形状は正方形の四辺から突起部２３ａが突出し、熱収集部２０と非相似形に形成される。突起部２３ａにより、熱媒流路２３の内壁面に凹凸形状が形成される。これにより、第１４実施形態と同様に、熱収集部２０と熱媒との接触面積が増加して熱伝達性を高くすることができる。
【００６３】
＜第１６実施形態＞
次に、図１８は第１６実施形態の光熱変換エネルギー回収パネル１の要部の正面断面図であり、前述の図３と同じ断面を示している。説明の便宜上、前述の図１６に示す第１４実施形態と同様の部分には同一の符号を付している。本実施形態は熱収集部２０の構造が第１４実施形態と異なっている。その他の部分は第１４実施形態と同様である。
【００６４】
熱収集部２０は断面形状を正方形に形成され、内部に一の熱媒流路２３が設けられる。熱媒流路２３の断面形状は正方形の各コーナーから突起部２３ａが突出し、熱収集部２０と非相似形に形成される。突起部２３ａにより、熱媒流路２３の内壁面に凹凸形状が形成される。これにより、第１４実施形態と同様に、熱収集部２０と熱媒との接触面積が増加して熱伝達性を高くすることができる。
【００６５】
＜第１７実施形態＞
次に、図１９は第１７実施形態の光熱変換エネルギー回収パネル１の要部の正面断面図であり、前述の図３と同じ断面を示している。説明の便宜上、前述の図１６に示す第１４実施形態と同様の部分には同一の符号を付している。本実施形態は熱収集部２０の構造が第１４実施形態と異なっている。その他の部分は第１４実施形態と同様である。
【００６６】
熱収集部２０は断面形状を正方形に形成され、内部に一の熱媒流路２３が設けられる。熱媒流路２３の断面形状は中心位置の異なる複数の楕円を重ねた形状に形成され、熱収集部２０と非相似形に形成される。その結果、熱媒流路２３の内壁面に凹凸形状が形成される。これにより、第１４実施形態と同様に、熱収集部２０と熱媒との接触面積が増加して熱伝達性を高くすることができる。
【００６７】
＜第１８実施形態＞
次に、図２０は第１８実施形態の光熱変換エネルギー回収パネル１の要部の正面断面図であり、前述の図３と同じ断面を示している。説明の便宜上、前述の図１６に示す第１４実施形態と同様の部分には同一の符号を付している。本実施形態は熱収集部２０の構造が第１４実施形態と異なっている。その他の部分は第１４実施形態と同様である。
【００６８】
熱収集部２０は断面形状をコーナーが曲面の略正方形に形成され、内部に一の熱媒流路２３が設けられる。熱媒流路２３の断面形状はコーナーが曲面の略正方形の対向する二辺から突起部２３ａが突出し、熱収集部２０と非相似形に形成される。突起部２３ａにより、熱媒流路２３の内壁面に凹凸形状が形成される。これにより、第１４実施形態と同様に、熱収集部２０と熱媒との接触面積が増加して熱伝達性を高くすることができる。
【００６９】
＜第１９実施形態＞
次に、図２１は第１９実施形態の光熱変換エネルギー回収パネル１の要部の正面断面図であり、前述の図３と同じ断面を示している。説明の便宜上、前述の図１６に示す第１４実施形態と同様の部分には同一の符号を付している。本実施形態は熱収集部２０の構造が第１４実施形態と異なっている。その他の部分は第１４実施形態と同様である。
【００７０】
熱収集部２０は断面形状を円形に形成され、内部に一の熱媒流路２３が設けられる。熱媒流路２３の断面形状は中心位置の異なる複数の楕円を重ねた形状に形成され、熱収集部２０と非相似形に形成される。その結果、熱媒流路２３の内壁面に凹凸形状が形成される。これにより、第１４実施形態と同様に、熱収集部２０と熱媒との接触面積が増加して熱伝達性を高くすることができる。
【００７１】
＜第２０実施形態＞
次に、図２２は第２０実施形態の光熱変換エネルギー回収パネル１の要部の正面断面図であり、前述の図３と同じ断面を示している。説明の便宜上、前述の図１６に示す第１４実施形態と同様の部分には同一の符号を付している。本実施形態は熱収集部２０の構造が第１４実施形態と異なっている。その他の部分は第１４実施形態と同様である。
【００７２】
熱収集部２０は断面形状を円形に形成され、内部に一の熱媒流路２３が設けられる。熱媒流路２３の断面形状は円形の内面から多数の突起部２３ａが突出し、熱収集部２０と非相似形に形成される。突起部２３ａにより、熱媒流路２３の内壁面に凹凸形状が形成される。これにより、第１４実施形態と同様に、熱収集部２０と熱媒との接触面積が増加して熱伝達性を高くすることができる。
【００７３】
＜第２１実施形態＞
次に、図２３は第２１実施形態の光熱変換エネルギー回収パネル１の要部の正面断面図であり、前述の図３と同じ断面を示している。説明の便宜上、前述の図１６に示す第１４実施形態と同様の部分には同一の符号を付している。本実施形態は熱収集部２０の構造が第１４実施形態と異なっている。その他の部分は第１４実施形態と同様である。
【００７４】
熱収集部２０は断面形状を三角形に形成され、内部に一の熱媒流路２３が設けられる。熱媒流路２３の断面形状は三角形の各辺から突起部２３ａが突出し、熱収集部２０と非相似形に形成される。突起部２３ａにより、熱媒流路２３の内壁面に凹凸形状が形成される。これにより、第１４実施形態と同様に、熱収集部２０と熱媒との接触面積が増加して熱伝達性を高くすることができる。
【００７５】
＜第２２実施形態＞
次に、図２４は第２２実施形態の光熱変換エネルギー回収パネル１の要部の正面断面図であり、前述の図３と同じ断面を示している。説明の便宜上、前述の図１６に示す第１４実施形態と同様の部分には同一の符号を付している。本実施形態は熱収集部２０の構造が第１４実施形態と異なっている。その他の部分は第１４実施形態と同様である。
【００７６】
熱収集部２０は断面形状を台形に形成され、内部に一の熱媒流路２３が設けられる。熱媒流路２３の断面形状は台形の対向する二辺から突起部２３ａが突出し、熱収集部２０と非相似形に形成される。突起部２３ａにより、熱媒流路２３の内壁面に凹凸形状が形成される。これにより、第１４実施形態と同様に、熱収集部２０と熱媒との接触面積が増加して熱伝達性を高くすることができる。
【００７７】
＜第２３実施形態＞
次に、図２５は第２３実施形態の光熱変換エネルギー回収パネル１の要部の正面断面図であり、前述の図３と同じ断面を示している。説明の便宜上、前述の図１〜図３に示す第１実施形態と同様の部分には同一の符号を付している。本実施形態は熱収集部２０の構造が第１実施形態と異なっている。その他の部分は第１実施形態と同様である。
【００７８】
熱収集部２０は断面形状を正方形に形成され、内部に複数の熱媒流路２３が並列に設けられる。複数の熱媒流路２３は集光板１０の厚み方向に並設される。熱媒流路２３の断面形状は長方形の各コーナーから突起部２３ａが突出し、熱収集部２０と非相似形に形成される。突起部２３ａにより、熱媒流路２３の内壁面に凹凸形状が形成される。
【００７９】
本実施形態によると、第１実施形態と同様に、熱収集部２０の内部には複数の熱媒流路２３が並列に設けられるため、熱媒流路２３の流路抵抗を大きくすることできる。また、熱媒流路２３の内壁面の凹凸形状によって熱収集部２０と熱媒との接触面積を増加させることができる。従って、熱収集部２０と熱媒との熱伝達性を高くすることができる。
【００８０】
＜第２４実施形態＞
次に、図２６は第２４実施形態の光熱変換エネルギー回収パネル１の要部の正面断面図であり、前述の図３と同じ断面を示している。説明の便宜上、前述の図２５に示す第２３実施形態と同様の部分には同一の符号を付している。本実施形態は熱収集部２０の構造が第１実施形態と異なっている。その他の部分は第１実施形態と同様である。
【００８１】
熱収集部２０は断面形状を円形に形成され、内部に複数の熱媒流路２３が並列に設けられる。複数の熱媒流路２３は集光板１０の厚み方向に並設される。熱媒流路２３の断面形状は楕円形の内面に多数の突起部２３ａが突出し、熱収集部２０と非相似形に形成される。突起部２３ａにより、熱媒流路２３の内壁面に凹凸形状が形成される。
【００８２】
これにより、第２３実施形態と同様に、熱媒流路２３の流路抵抗を大きくできるとともに熱収集部２０と熱媒との接触面積を増加させることができる。従って、熱収集部２０と熱媒との熱伝達性を高くすることができる。
【００８３】
＜第２５実施形態＞
次に、図２７は第２５実施形態の光熱変換エネルギー回収パネル１の要部の正面断面図であり、前述の図３と同じ断面を示している。説明の便宜上、前述の図１〜図３に示す第１実施形態と同様の部分には同一の符号を付している。本実施形態は熱収集部２０の構造が第１実施形態と異なっている。その他の部分は第１実施形態と同様である。
【００８４】
熱収集部２０は断面形状を長円状に形成され、内部に複数の熱媒流路２３が並列に設けられる。複数の熱媒流路２３は集光板１０の厚み方向に並設される。熱媒流路２３の断面形状は半円及び正方形に形成され、熱収集部２０と非相似形に形成される。また、熱収集部２０は集光板１０の入射面１０ａに垂直な方向の長さＬ１が平行な方向の長さＬ２よりも長く形成される。
【００８５】
本実施形態によると、第１実施形態と同様に、熱収集部２０の内部には複数の熱媒流路２３が並列に設けられるため、熱媒流路２３の流路抵抗を大きくすることできる。また、熱収集部２０は入射面１０ａに垂直な方向の長さＬ１が平行な方向の長さＬ２よりも長いので、熱収集部２０の外表面の面積を小さくすることができる。従って、外部への放熱を低減して光熱変換エネルギー回収パネル１の集熱効率をより向上することができる。
【００８６】
＜第２６実施形態＞
次に、図２８は第２６実施形態の光熱変換エネルギー回収パネル１の要部の正面断面図であり、前述の図３と同じ断面を示している。説明の便宜上、前述の図２７に示す第２５実施形態と同様の部分には同一の符号を付している。本実施形態は熱収集部２０の構造が第２５実施形態と異なっている。その他の部分は第２５実施形態と同様である。
【００８７】
熱収集部２０は断面形状を長円状に形成され、内部に複数の熱媒流路２３が並列に設けられる。複数の熱媒流路２３は集光板１０の厚み方向に並設される。熱媒流路２３の断面形状は円形に形成され、熱収集部２０と非相似形に形成される。また、熱収集部２０は集光板１０の入射面１０ａに垂直な方向の長さＬ１が平行な方向の長さＬ２よりも長く形成される。これにより第２５実施形態と同様に、複数の熱媒流路２３により熱媒流路２３の流路抵抗を大きくするとともに、熱収集部２０の外表面の面積を小さくすることができる。
【００８８】
＜第２７実施形態＞
次に、図２９は第２７実施形態の光熱変換エネルギー回収パネル１の要部の正面断面図であり、前述の図３と同じ断面を示している。説明の便宜上、前述の図２７に示す第２５実施形態と同様の部分には同一の符号を付している。本実施形態は熱収集部２０の構造が第２５実施形態と異なっている。その他の部分は第２５実施形態と同様である。
【００８９】
熱収集部２０は断面形状を長方形に形成され、内部に複数の熱媒流路２３が並列に設けられる。複数の熱媒流路２３は集光板１０の厚み方向に並設される。熱媒流路２３の断面形状は正方形に形成され、熱収集部２０と非相似形に形成される。また、熱収集部２０は集光板１０の入射面１０ａに垂直な方向の長さＬ１が平行な方向の長さＬ２よりも長く形成される。これにより第２５実施形態と同様に、複数の熱媒流路２３により熱媒流路２３の流路抵抗を大きくするとともに、熱収集部２０の外表面の面積を小さくすることができる。
【００９０】
＜第２８実施形態＞
次に、図３０は第２８実施形態の光熱変換エネルギー回収パネル１の要部の正面断面図であり、前述の図３と同じ断面を示している。説明の便宜上、前述の図２７に示す第２５実施形態と同様の部分には同一の符号を付している。本実施形態は熱収集部２０の構造が第２５実施形態と異なっている。その他の部分は第２５実施形態と同様である。
【００９１】
熱収集部２０は断面形状を長方形に形成され、内部に一の熱媒流路２３が設けられる。熱媒流路２３の断面形状は長方形の対向する二辺から突起部２３ａが突出し、熱収集部２０と非相似形に形成される。突起部２３ａにより、熱媒流路２３の内壁面に凹凸形状が形成される。また、熱収集部２０は集光板１０の入射面１０ａに垂直な方向の長さＬ１が平行な方向の長さＬ２よりも長く形成される。
【００９２】
これにより、第２５実施形態と同様に、熱収集部２０の外表面の面積を小さくすることができる。また、突起部２３ａによって熱媒流路２３の内壁面に凹凸形状を形成したので、熱収集部２０と熱媒との接触面積が増加して熱伝達性をより高くすることができる。
【００９３】
＜第２９実施形態＞
次に、図３１は第２９実施形態の光熱変換エネルギー回収パネル１の要部の正面断面図であり、前述の図３と同じ断面を示している。説明の便宜上、前述の図２７に示す第２５実施形態と同様の部分には同一の符号を付している。本実施形態は熱収集部２０の構造が第２５実施形態と異なっている。その他の部分は第２５実施形態と同様である。
【００９４】
熱収集部２０は断面形状を楕円形に形成され、内部に複数の熱媒流路２３が並列に設けられる。複数の熱媒流路２３は集光板１０の厚み方向に並設される。熱媒流路２３の断面形状は半楕円形に形成され、熱収集部２０と非相似形に形成される。また、熱収集部２０は集光板１０の入射面１０ａに垂直な方向の長さＬ１が平行な方向の長さＬ２よりも長く形成される。これにより第２５実施形態と同様に、複数の熱媒流路２３により熱媒流路２３の流路抵抗を大きくするとともに、熱収集部２０の外表面の面積を小さくすることができる。
【００９５】
＜第３０実施形態＞
次に、図３２は第３０実施形態の光熱変換エネルギー回収パネル１の要部の正面断面図であり、前述の図３と同じ断面を示している。説明の便宜上、前述の図２７に示す第２５実施形態と同様の部分には同一の符号を付している。本実施形態は熱収集部２０の構造が第２５実施形態と異なっている。その他の部分は第２５実施形態と同様である。
【００９６】
熱収集部２０は円を一の弦で切断した断面形状に形成され、弦の部分が集光板１０の側端面に接する。熱収集部２０の内部には複数の熱媒流路２３が並列に設けられ、複数の熱媒流路２３は集光板１０の厚み方向に並設される。熱媒流路２３の断面形状は半円を一の弦で切断した形状に形成され、熱収集部２０と非相似形に形成される。また、熱収集部２０は集光板１０の入射面１０ａに垂直な方向の長さＬ１が平行な方向の長さＬ２よりも長く形成される。これにより第２５実施形態と同様に、複数の熱媒流路２３により熱媒流路２３の流路抵抗を大きくするとともに、熱収集部２０の外表面の面積を小さくすることができる。
【００９７】
＜第３１実施形態＞
次に、図３３は第３１実施形態の光熱変換エネルギー回収パネル１の要部の正面断面図であり、前述の図３と同じ断面を示している。説明の便宜上、前述の図２７に示す第２５実施形態と同様の部分には同一の符号を付している。本実施形態は熱収集部２０の構造が第２５実施形態と異なっている。その他の部分は第２５実施形態と同様である。
【００９８】
熱収集部２０は断面形状を二等辺三角形に形成され、内部に複数の熱媒流路２３が並列に設けられる。複数の熱媒流路２３は集光板１０の厚み方向に並設される。熱媒流路２３の断面形状は直角三角形に形成され、熱収集部２０と非相似形に形成される。また、熱収集部２０は集光板１０の入射面１０ａに垂直な方向の長さＬ１が平行な方向の長さＬ２よりも長く形成される。これにより第２５実施形態と同様に、複数の熱媒流路２３により熱媒流路２３の流路抵抗を大きくするとともに、熱収集部２０の外表面の面積を小さくすることができる。
【００９９】
＜第３２実施形態＞
次に、図３４は第３２実施形態の光熱変換エネルギー回収パネル１の要部の正面断面図であり、前述の図３と同じ断面を示している。説明の便宜上、前述の図２７に示す第２５実施形態と同様の部分には同一の符号を付している。本実施形態は熱収集部２０の構造が第２５実施形態と異なっている。その他の部分は第２５実施形態と同様である。
【０１００】
熱収集部２０は断面形状を等脚台形に形成され、内部に複数の熱媒流路２３が並列に設けられる。複数の熱媒流路２３は集光板１０の厚み方向に並設される。熱媒流路２３の断面形状は不等脚台形に形成され、熱収集部２０と非相似形に形成される。また、熱収集部２０は集光板１０の入射面１０ａに垂直な方向の長さＬ１が平行な方向の長さＬ２よりも長く形成される。これにより第２５実施形態と同様に、複数の熱媒流路２３により熱媒流路２３の流路抵抗を大きくするとともに、熱収集部２０の外表面の面積を小さくすることができる。
【０１０１】
＜第３３実施形態＞
次に、図３５は第３３実施形態の光熱変換エネルギー回収パネル１の要部の正面断面図であり、前述の図３と同じ断面を示している。説明の便宜上、前述の図２７に示す第２５実施形態と同様の部分には同一の符号を付している。本実施形態は集光板１０と熱収集部２０との接合構造が第２５実施形態と異なっている。その他の部分は第２５実施形態と同様である。
【０１０２】
熱収集部２０は集光板１０の側端部に埋設され、周囲を集光板１０により覆われる。集光板１０を形成する溶融した基材中に熱収集部２０を浸漬した状態で集光板１０を成形することにより光熱変換エネルギー回収パネル１が形成される。
【０１０３】
これにより、第２５実施形態と同様の効果が得られるとともに、集光板１０を導光する光の熱エネルギーを矢印Ｄ３に示すように熱収集部２０の外表面全面から吸収することができる。また、集光板１０と熱収集部２０との間に接着剤を設ける必要がなく、接着剤の透過する光の強度の減衰を防止することができる。加えて、熱収集部２０の周囲を集光板１０により断熱し、光熱変換エネルギー回収パネル１の放熱を低減することができる。従って、光熱変換エネルギー回収パネル１の集熱効率をより向上することができる。
【０１０４】
＜第３４実施形態＞
次に、図３６は第３４実施形態の光熱変換エネルギー回収パネル１の要部の正面断面図であり、前述の図３と同じ断面を示している。説明の便宜上、前述の図３５に示す第３３実施形態と同様の部分には同一の符号を付している。本実施形態は熱収集部２０の構造が第３３実施形態と異なっている。その他の部分は第３３実施形態と同様である。
【０１０５】
熱収集部２０は集光板１０の側端部に埋設され、周囲を集光板１０により覆われる。熱収集部２０は断面形状を長方形に形成され、内部に複数の熱媒流路２３が並列に設けられる。熱媒流路２３の断面形状は正方形に形成され、熱収集部２０と非相似形に形成される。これにより、第３３実施形態と同様の効果を得ることができる。
【０１０６】
＜第３５実施形態＞
次に、図３７は第３５実施形態の光熱変換エネルギー回収パネル１の要部の正面断面図であり、前述の図３と同じ断面を示している。説明の便宜上、前述の図３５に示す第３３実施形態と同様の部分には同一の符号を付している。本実施形態は熱収集部２０の構造が第３３実施形態と異なっている。その他の部分は第３３実施形態と同様である。
【０１０７】
熱収集部２０は集光板１０の側端部に埋設され、周囲を集光板１０により覆われる。熱収集部２０は断面形状を長方形に形成され、内部に一の熱媒流路２３が設けられる。熱媒流路２３の断面形状は中心位置の異なる複数の楕円を重ねた形状に形成され、熱収集部２０と非相似形に形成される。これにより、第３３実施形態と同様の効果を得ることができる。
【０１０８】
＜第３６実施形態＞
次に、図３８は第３６実施形態の光熱変換エネルギー回収パネル１の要部の正面断面図であり、前述の図３と同じ断面を示している。説明の便宜上、前述の図２９に示す第２７実施形態と同様の部分には同一の符号を付している。本実施形態は熱収集部２０の周囲に光吸収層２５が設けられる。その他の部分は第２７実施形態と同様である。
【０１０９】
光吸収層２５は熱収集部２０の表面処理等によって熱収集部２０の表面の光吸収性を向上させる。例えば、熱収集部２０がアルミニウムにより形成される場合は熱収集部２０の表面にアルマイト処理を施すことにより、光吸収層２５を形成することができる。また、熱収集部２０の表面に黒染加工を施して光吸収層２５を形成してもよい。また、接着性を有する光吸収フィルムを集光板１０と熱収集部２０との間に配置して光吸収層２５を形成してもよい。光吸収層２５は熱収集部２０の表面全体に形成されることが望ましいが、集光板１０と接する面のみに形成してもよい。
【０１１０】
光吸収層２５が集光板１０と熱収集部２０との境界に形成されるため、熱収集部２０の表面での光の反射が低減される。これにより、熱収集部２０の光吸収性が向上し、光熱変換エネルギー回収パネル１の集熱効率をより向上することができる。
【０１１１】
＜第３７実施形態＞
次に、図３９は第３７実施形態の光熱変換エネルギー回収パネル１の要部の正面断面図であり、前述の図３と同じ断面を示している。説明の便宜上、前述の図３５に示す第３３実施形態と同様の部分には同一の符号を付している。本実施形態は熱収集部２０の周囲に第３６実施形態（図３８参照）と同様の光吸収層２５が設けられる。その他の部分は第３３実施形態と同様である。
【０１１２】
これにより、第３３実施形態と同様の効果が得られるとともに、光吸収層２５が集光板１０と熱収集部２０との境界に形成されるため熱収集部２０の表面での光の反射が低減される。これにより、熱収集部２０の光吸収性が向上し、光熱変換エネルギー回収パネル１の集熱効率をより向上することができる。
【０１１３】
＜第３８実施形態＞
次に、図４０は第３８実施形態の光熱変換エネルギー回収パネル１の要部の正面断面図であり、前述の図３と同じ断面を示している。説明の便宜上、前述の図３７に示す第３５実施形態と同様の部分には同一の符号を付している。本実施形態は熱収集部２０の周囲に第３６実施形態（図３８参照）と同様の光吸収層２５が設けられる。その他の部分は第３５実施形態と同様である。
【０１１４】
これにより、第３５実施形態と同様の効果が得られるとともに、光吸収層２５が集光板１０と熱収集部２０との境界に形成されるため熱収集部２０の表面での光の反射が低減される。これにより、熱収集部２０の光吸収性が向上し、光熱変換エネルギー回収パネル１の集熱効率をより向上することができる。
【０１１５】
＜第３９実施形態＞
次に、図４１、図４２は第３９実施形態の光熱変換エネルギー回収パネル１の要部の斜視図及び正面断面図であり、前述の図２、図３と同じ断面を示している。説明の便宜上、前述の図２９に示す第２７実施形態と同様の部分には同一の符号を付している。本実施形態は熱収集部２０を覆う断熱材３０が設けられる。その他の部分は第２７実施形態と同様である。
【０１１６】
断熱材３０は光熱変換エネルギー回収パネル１の熱収集部２０を配した端部を覆う。これにより、熱収集部２０からの放熱を低減することができる。
【０１１７】
断熱材３０として、ロックウール、グラスウール、セラミックファイバ、硬質ウレタンフォーム、ポリエチレンフォーム、ユリアフォーム、セルロースファイバー、繊維板等の熱伝導率が０．１Ｗ／（ｍＫ）以下の材料が好適に用いられる。断熱材３０として、熱伝導率が０．１Ｗ／（ｍＫ）よりも大きいプラスチック系樹脂、ゴム系樹脂、木材等を用いてもよい。また、断熱材３０として、真空断熱材や空気断熱材を用いてもよい。
【０１１８】
本実施形態によると、第２７実施形態と同様の効果を得ることができるとともに、熱収集部２０からの放熱を低減して光熱変換エネルギー回収パネル１の集熱効率をより向上することができる。
【０１１９】
＜第４０実施形態＞
次に、図４３は第４０実施形態の光熱変換エネルギー回収パネル１の要部の正面断面図であり、前述の図３と同じ断面を示している。説明の便宜上、前述の図３９に示す第３７実施形態と同様の部分には同一の符号を付している。本実施形態は熱収集部２０を配した端部に第３９実施形態（図４２参照）と同様の断熱材３０が設けられる。その他の部分は第３７実施形態と同様である。
【０１２０】
これにより、第３７実施形態と同様の効果が得られるとともに、断熱材３０により熱収集部２０からの放熱を低減して光熱変換エネルギー回収パネル１の集熱効率をより向上することができる。
【０１２１】
＜第４１実施形態＞
次に、図４４は第４１実施形態の光熱変換エネルギー回収パネル１の要部の正面断面図であり、前述の図３と同じ断面を示している。説明の便宜上、前述の図３７に示す第３５実施形態と同様の部分には同一の符号を付している。本実施形態は熱収集部２０を配した端部に第３９実施形態（図４２参照）と同様の断熱材３０が設けられる。その他の部分は第３５実施形態と同様である。
【０１２２】
これにより、第３５実施形態と同様の効果が得られるとともに、断熱材３０により熱収集部２０からの放熱を低減して光熱変換エネルギー回収パネル１の集熱効率をより向上することができる。
【０１２３】
尚、第３〜第４１実施形態において第２実施形態と同様に、集光板１０の光励起姓発光物質２１（図３参照）を省いて導光構造１２（図４参照）を設けてもよい。また、熱収集部２０及び熱媒流路２３の断面形状は第１〜第４１実施形態の形状に限られず、他の形状に形成してもよい。
【０１２４】
＜第４２実施形態＞
次に、図４５は第４２実施形態の光変換エネルギー回収パネル１の平面図を示している。説明の便宜上、前述の図１〜図３に示す第１実施形態と同様の部分には同一の符号を付している。本実施形態は平面視矩形の集光板１０の対向する二辺に接して第１実施形態と同様の熱収集部２０が配され、熱収集部２０に隣接する二辺に接して熱収集部２７が配される。その他の部分は第１実施形態と同様である。
【０１２５】
熱収集部２７は通常の金属等の円管や四角管により形成され、熱媒が流通する熱媒流路（不図示）を内部に有している。図中、下方の熱収集部２７は両端に開放端２７ａ、２７ｃを有し、上方の熱収集部２７は両端に開放端２７ｄ、２７ｂを有する。開放端２７ａ、２７ｂが対角に配置され、開放端２７ｃ、２７ｄが対角に配置される。
【０１２６】
熱収集部２０は第１実施形態と同様の断面形状を有する直管に形成される。そして、両方の熱収集部２７に熱収集部２０の両端が接合される。熱収集部２７と熱収集部２０との接合方法は溶接やロウ付け等が好適であるが、これに限らず両者の材質に応じて選択可能である。
【０１２７】
図４６は本実施形態の光熱変換エネルギー回収パネル１を複数連結した状態を示している。解りやすくするため、図中、左方の光熱変換エネルギー回収パネルには符号１’を付し、光熱変換エネルギー回収パネル１’の熱収集部２７の開放端２７ａ〜２７ｄには符号２７ａ’〜２７ｄ’を付している。
【０１２８】
右方の光熱変換エネルギー回収パネル１の開放端２７ｂと左方の光熱変換エネルギー回収パネル１’の開放端２７ｄ’とはジョイント３２により連結される。光熱変換エネルギー回収パネル１の開放端２７ｃと光熱変換エネルギー回収パネル１’の開放端２７ａ’とはジョイント３２により連結される。また、光熱変換エネルギー回収パネル１の開放端２７ｄ及び光熱変換エネルギー回収パネル１’の開放端２７ｃ’は封止される。
【０１２９】
これにより、流入口を形成する開放端２７ａから矢印Ｂ１に示すように流入する熱媒は各熱収集部２０、２７を分岐して流通する。熱収集部２０、２７を流通した熱媒は矢印Ｂ２に示すように流出口を形成する開放端２７ｂ’から流出する。集光板１０を導光した光の光エネルギーは熱収集部２０、２７により熱エネルギーに変換される。熱エネルギーは熱収集部２０内の熱媒流路２３（図３参照）及び熱収集部２７内の熱媒流路を流通する熱媒により集熱して回収される。
【０１３０】
本実施形態によると、第１実施形態と同様の効果を得ることができる。また、複数の光熱変換エネルギー回収パネル１を容易に連結することができる。尚、前述の第２実施形態に示すように集光板１０に導光構造１２（図４参照）を設けてもよく、熱収集部２０を第３〜第４１実施形態と同様の断面形状に形成してもよい。また、熱収集部２７を熱収集部２０と同様の断面形状に形成してもよい。
【０１３１】
＜第４３実施形態＞
次に、図４７は第４３実施形態の光変換エネルギー回収パネル１の平面図を示している。説明の便宜上、前述の図１〜図３に示す第１実施形態と同様の部分には同一の符号を付している。本実施形態は平面視矩形の集光板１０が複数並設される。また、集光板１０の並設方向に対向する各辺に接して第１実施形態と同様の熱収集部２０が配され、熱収集部２０に隣接して対向する二辺に接して第４２実施形態と同様の熱収集部２７が配される。その他の部分は第１実施形態と同様である。
【０１３２】
熱収集部２７は通常の金属等の円管や四角管により形成され、熱媒が流通する熱媒流路（不図示）を内部に有している。図中、下方の熱収集部２７は熱媒の流入口を形成する開放端２７ａを一端に有し、上方の熱収集部２７は熱媒の流出口を形成する開放端２７ｂを一端に有する。
【０１３３】
熱収集部２０は第１実施形態と同様の断面形状を有する直管に形成される。そして、両方の熱収集部２７に各熱収集部２０の両端が接合される。熱収集部２７と熱収集部２０との接合方法は溶接やロウ付け等が好適であるが、これに限らず両者の材質に応じて選択可能である。
【０１３４】
開放端２７ａから矢印Ｂ１に示すように流入する熱媒は各熱収集部２０、２７を分岐して流通する。熱収集部２０、２７を流通した熱媒は矢印Ｂ２に示すように開放端２７ｂから流出する。集光板１０を導光した光の光エネルギーは熱収集部２０、２７により熱エネルギーに変換される。熱エネルギーは熱収集部２０内の熱媒流路２３（図３参照）及び熱収集部２７内の熱媒流路を流通する熱媒により集熱して回収される。
【０１３５】
本実施形態によると、第１実施形態と同様の効果を得ることができる。また、複数の集光パネル１０により集光して熱エネルギーを回収する光熱変換エネルギー回収パネル１を容易に実現することができる。尚、前述の第２実施形態に示すように集光板１０に導光構造１２（図４参照）を設けてもよく、熱収集部２０を第３〜第４１実施形態と同様の断面形状に形成してもよい。また、熱収集部２７を熱収集部２０と同様の断面形状に形成してもよい。
【産業上の利用可能性】
【０１３６】
本発明によると、太陽エネルギーを熱媒により回収する光熱変換エネルギー回収パネルに利用することができる。
【符号の説明】
【０１３７】
１    光熱変換エネルギー回収パネル
１０    集光板
１０ａ  入射面
１０ｂ  側端面
１２    導光構造
２０、２７  熱収集部
２０ａ  流入口
２０ｂ  流出口
２３    熱媒流路
２３ａ  突起部
２５    光吸収層
２７ａ〜２７ｄ  開放端
３０    断熱材
【図１】
2014153011.tif 000003
【図２】
2014153011.tif 000004
【図３】
2014153011.tif 000005
【図４】
2014153011.tif 000006
【図５】
2014153011.tif 000007
【図６】
2014153011.tif 000008
【図７】
2014153011.tif 000009
【図８】
2014153011.tif 000010
【図９】
2014153011.tif 000011
【図１０】
2014153011.tif 000012
【図１１】
2014153011.tif 000013
【図１２】
2014153011.tif 000014
【図１３】
2014153011.tif 000015
【図１４】
2014153011.tif 000016
【図１５】
2014153011.tif 000017
【図１６】
2014153011.tif 000018
【図１７】
2014153011.tif 000019
【図１８】
2014153011.tif 000020
【図１９】
2014153011.tif 000021
【図２０】
2014153011.tif 000022
【図２１】
2014153011.tif 000023
【図２２】
2014153011.tif 000024
【図２３】
2014153011.tif 000025
【図２４】
2014153011.tif 000026
【図２５】
2014153011.tif 000027
【図２６】
2014153011.tif 000028
【図２７】
2014153011.tif 000029
【図２８】
2014153011.tif 000030
【図２９】
2014153011.tif 000031
【図３０】
2014153011.tif 000032
【図３１】
2014153011.tif 000033
【図３２】
2014153011.tif 000034
【図３３】
2014153011.tif 000035
【図３４】
2014153011.tif 000036
【図３５】
2014153011.tif 000037
【図３６】
2014153011.tif 000038
【図３７】
2014153011.tif 000039
【図３８】
2014153011.tif 000040
【図３９】
2014153011.tif 000041
【図４０】
2014153011.tif 000042
【図４１】
2014153011.tif 000043
【図４２】
2014153011.tif 000044
【図４３】
2014153011.tif 000045
【図４４】
2014153011.tif 000046
【図４５】
2014153011.tif 000047
【図４６】
2014153011.tif 000048
【図４７】
2014153011.tif 000049